(57)【要約】  【課題】綴じ箇所の汚損を防いで見栄えを良くし、構成がシンプル化して手動方式機械にも適用できるうえに操作荷重が低減し、綴じ後の書類のガタツキを防止する。  【解決手段】昇降駆動可能な打ち込み機４は、両側部の抜き刃３と下方水平部の取付部６によって略逆門形に形成する。抜き刃３の内側面には、コ字形紙製ステープル５の脚部１５，１６を挟持するための挟みバネ板８を対峙して設ける。挟みバネ板８の下側略半部は、抜き刃３内側面に固着された固定部１０と、内側斜め下方向に屈曲した作動部１１とを有する。書類貫通時又はリターン時に、作動部１１又は上側略半部９に押圧力が作用することで、上側略半部９は抜き刃３に対し離反又は接近する。【選択図】  図２
2007185819.tif 000002
【特許請求の範囲】
【請求項１】
コ字形に形成された紙製ステープルの打ち込み機において、該打ち込み機は、昇降自在であって、且つ、水平部と、該水平部の両端部に夫々突設されている貫通孔形成用の抜き刃とによって略逆門形に形成されて成り、該抜き刃の内側面に紙製ステープルの脚部を挟持するための挟みバネ板が対峙して設けられ、
更に、該挟みバネ板の下部には、前記抜き刃の内側面に固着された固定部と、内側斜め下方向へ屈曲した作動部とが形成され、
該打ち込み機の抜き刃を書類の下面から打入して該書類に該貫通孔を形成する際、前記挟みバネ板の上部が該抜き刃の内側面に密着した状態で該抜き刃によって該書類に貫通孔が開穿され、
該打ち込み機の水平部が該貫通孔に到達する移動中に、前記挟みバネ板の作動部が該貫通孔の縁部で押圧されて前記抜き刃の内側面の側へ回動することによって該挟みバネ板の上部が内側方向へ回動し、
該挟みバネ板と抜き刃の内側面との間に所定の隙間が形成され、該隙間に該書類を介して該打ち込み機と対峙配設した紙製ステープルの脚部が差し込まれるように構成されていることを特徴とする紙製ステープルの打ち込み機。
【請求項２】
上記隙間に上記紙製ステープルの脚部が差し込まれた後、上記打ち込み機が元の位置に下降した通常の状態では、前記挟みバネ板の上部は上記抜き刃の内側面に密着し、且つ、該挟みバネ板の下部に設けた作動部は斜め上方向に屈曲した状態に復帰するように構成されていることを特徴とする請求項１記載の紙製ステープルの打ち込み機。
【発明の詳細な説明】
【技術分野】
【０００１】
本発明は、紙製ステープルの打ち込み機に関するものであり、特に、コ字形の紙製ステープルを書類に打ち込んで綴じるときに使用される紙製ステープルの打ち込み機に関するものである。
【背景技術】
【０００２】
従来、上記ステープルの打ち込み機としては、例えば、書類を打ち抜く抜き刃に角孔を開穿したものが知られている。この打ち込み機による前記ステープルの貫通方式は、前記角孔が開穿された抜き刃を書類の表面側から裏面側に貫通させた後に、該抜き刃の角孔に前記ステープルを差し込み、そのままの状態で、前記ステープルを書類の表面側に引き抜く方式が採用されている（特許文献１参照）。
【特許文献１】特開平１０−０００８７１公報
【発明の開示】
【発明が解決しようとする課題】
【０００３】
特許文献１記載の前記ステープルの貫通方式は、該ステープルを抜き刃の角孔に差し込んだ状態で、該ステープルを引き抜いているので、次のようなデメリットを有している。即ち、抜き刃自体に角孔を開穿しているため、抜き刃自体の強度が不足する。そこで、抜き刃の強度アップを図るには、抜き刃の板厚を厚くすれば良いが、この場合には、書類に形成される抜き孔が大きくなり、抜き孔周辺の綴じ箇所が汚損し易いという欠点を有する。
【０００４】
又、上記ステープル貫通方式では、抜き刃を書類に刺し込んだ後に、抜き刃を引き抜かなければならないので、抜き刃の刺し込みと引き抜きの２段階のアクションが必要になり、操作性が低下すると共に手動方式の機械には不向きとなる。
【０００５】
更に、前記ステープルを引き抜く時、ステープルの粘着面が抜き孔の縁部と接触するために、ステープルを引き抜く際の操作荷重（リターンバネ荷重）がかなり増大する。又、ステープル幅と抜き刃幅に寸法差があるために、書類を綴じた時に、ステープルに対して抜き孔が大きくなり、綴じ部分の見栄えを悪くするうえに、書類にガタツキが発生するという問題があった。
そこで、上記操作荷重を低減でき、書類にガタツキを無くし、且つ、綴じ箇所の汚損を防止し、見栄えを良くし、手動方式の機械にも容易に適用できるようにするために解決すべき技術的課題が生じてくるのであり、本発明はその課題を解決することを目的とするものである。
【課題を解決するための手段】
【０００６】
本発明は上記目的を達成するために提案されたものであり、請求項１記載の発明は、コ字形に形成された紙製ステープルの打ち込み機において、該打ち込み機は、昇降自在であって、且つ、水平部と、該水平部の両端部に夫々突設されている貫通孔形成用の抜き刃とによって略逆門形に形成されて成り、該抜き刃の内側面に紙製ステープルの脚部を挟持するための挟みバネ板が対峙して設けられ、更に、該挟みバネ板の下部には、前記抜き刃の内側面に固着された固定部と、内側斜め下方向へ屈曲した作動部とが形成され、該打ち込み機の抜き刃を書類の下面から打入して該書類に該貫通孔を形成する際、前記挟みバネ板の上部が該抜き刃の内側面に密着した状態で該抜き刃によって該書類に貫通孔が開穿され、該打ち込み機の水平部が該貫通孔に到達する移動中に、前記挟みバネ板の作動部が該貫通孔の縁部で押圧されて前記抜き刃の内側面の側へ回動することによって該挟みバネ板の上部が内側方向へ回動し、該挟みバネ板と抜き刃の内側面との間に所定の隙間が形成され、該隙間に該書類を介して該打ち込み機と対峙配設した紙製ステープルの脚部が差し込まれるように構成してなる紙製ステープルの打ち込み機を提供する。
【０００７】
この構成によれば、書類に紙製ステープルを打ち込む際は、打ち込み機の上昇により、抜き刃を書類の下面から打入して貫通孔を形成する。続いて、挟みバネ板が貫通孔を上昇する際に、貫通孔の縁部から挟みバネ板の作動部に押圧力が作用する。これにより、挟みバネ板の上部が抜き刃から離反して隙間が形成され、該隙間に紙製ステープルの脚部が差し込まれる。
【０００８】
この後、打ち込み機の下降により、挟みバネ板が貫通孔を下降する際に、作動部に作用している押圧力が除かれて、挟みバネ板の上部が弾性力によって抜き刃側に接近して、紙製ステープルの脚部が抜き刃と挟みバネ板で挟持される。ついで、打ち込み機の更なる下降動作により、紙製ステープルが貫通孔内を下降変位して書類に引き抜き式に打ち込まれる。
【０００９】
請求項２記載の発明は、上記隙間に上記紙製ステープルの脚部が差し込まれた後、上記打ち込み機が元の位置にリターンした通常の状態では、前記挟みバネ板の上部は上記抜き刃の内側面に密着し、且つ、該挟みバネ板の下部に設けた作動部は内側斜め下方向に傾斜した状態に復帰するように構成されている請求項１記載の紙製ステープルの打ち込み機を提供する。
【００１０】
この構成によれば、紙製ステープルの脚部が抜き刃と挟みバネ板で挟持された後、打ち込み機が元の位置に下降すると、前記挟みバネ板はそれ自体の弾性復元力によって通常の形状に復帰する。即ち、挟みバネ板の上部は抜き刃の内側面に密着し、且つ、挟みバネ板の下部に設けた作動部は内側斜め下方向に屈曲した状態に戻る。
【００１１】
好ましくは、上記挟みバネ板の表面は、非粘着性樹脂によりコーティング処理が施されている。
【００１２】
この構成によれば、挟みバネ板の表面は、フッ素樹脂等により非粘着化コーティング加工が処理されているので、接着剤が塗布された紙製ステープルを打ち込む場合に、挟みバネ板の表面に接着剤が付着して残存するおそれがなく、常に正常に保つことができる。
【００１３】
好ましくは、上記抜き刃の幅寸法は上記紙製ステープルの幅寸法と略同一である。
【００１４】
この構成によれば、抜き刃の幅寸法は、紙製ステープルの幅寸法と略同一であるので、ステープル引き込み後、書類に形成された貫通孔と、紙製ステープルのクラウン部とは、形状寸法は相互に略一致する。よって、貫通孔とクラウン部の間に隙間が殆ど生じなくなる。このため、書類にガタツキが生ぜず確実に綴じることができる。加えて、貫通孔周囲の綴じ箇所が汚損され難くなり、外観上の見栄えも良くなる。
【００１５】
更に、好ましくは、紙製ステープルをクリンチする際に、押し付け部材で紙製ステープルのクラウン部を書類に押し付けるようにすることで、紙製ステープルのクリンチを容易かつ確実に行うことができる。更に又、挟みバネ板は該貫通孔の縁部によりしごかれて離開状態に変化するので、挟みバネ板を離反開放するための駆動機構が不要になる。
【発明の効果】
【００１６】
請求項１記載の発明は、抜き刃は従来の如く角孔を有しないので、刃部の強度が増大する。従って、強度アップのために抜き刃の板厚を大きくする必要がなく、その分だけ貫通孔を小さく形成することができる。
【００１７】
又、紙製ステープルを打ち込む際、一対の刃部を引き込み方向のみに直線移動させればよいので、１つのアクションで済む。従って、ステープル打ち込み時の動作ストロークが短くなり、手動式の機械に適したシンプル構造の打ち込み機が得られる。
【００１８】
請求項２の発明は、ステープル打ち込み後は、挟みバネ板の上部が抜き刃の内側面に密着し、作動部が内側斜め下方向に傾斜した通常の状態に自動復帰するので、請求項１記載の発明の効果に加えて、挟みバネ板の上部を元の閉鎖状態に復帰させるための駆動機構が不要になり、構成も一層簡単化する。
【発明を実施するための最良の形態】
【００１９】
本発明は、コ字形に形成された紙製ステープルの打ち込み機において、該打ち込み機は、昇降自在であって、且つ、水平部と、該水平部の両端部に夫々突設されている貫通孔形成用の抜き刃とによって略逆門形に形成されて成り、該抜き刃の内側面に紙製ステープルの脚部を挟持するための挟みバネ板が対峙して設けられ、更に、該挟みバネ板の下部には、前記抜き刃の内側面に固着された固定部と、内側斜め下方向へ屈曲した作動部とが形成され、該打ち込み機の抜き刃を書類の下面から打入して該書類に該貫通孔を形成する際、前記挟みバネ板の上部が該抜き刃の内側面に密着した状態で該抜き刃によって該書類に貫通孔が開穿され、該打ち込み機の水平部が該貫通孔に到達する移動中に、前記挟みバネ板の作動部が該貫通孔の縁部で押圧されて前記抜き刃の内側面の側へ回動することによって該挟みバネ板の上部が内側方向へ回動し、該挟みバネ板と抜き刃の内側面との間に所定の隙間が形成され、該隙間に該書類を介して該打ち込み機と対峙配設した紙製ステープルの脚部が差し込まれるように構成したことにより、操作荷重が低減すると共に、手動方式の機械にも容易に適用でき、且つ、貫通孔周辺の綴じ箇所の汚損を防止し、見栄えを良くし書類のガタツキを防止するという目的を達成した。
【００２０】
本発明の打ち込み機で打ち込まれる紙製ステープルは、粘着部を有するタイプと、粘着部を有しないタイプのいずれでも使用できる。特に、粘着部を有する紙製ステープルを使用する場合、紙製ステープルを打ち込む時に粘着部が貫通孔の縁部に接触しないため、ステープルを引き抜き式に打ち込む際の操作荷重が小さくなる。
【実施例】
【００２１】
以下、本発明の好適な一実施例を図１乃至図１３に従って説明する。尚、本実施例では、ステープル打ち込み動作に関連して、所定のタイミングで抜き刃の書類貫通、ステープルの差し込み、引き抜き、押し付け、圧着及びクリンチ等を行うべく、各機能部材の駆動手段、即ち、昇降駆動機構、移動駆動機構、回動駆動機構など（図示省略）が設けられているが、これらの駆動方式としてはカム、リンク、スプリング、電磁石等による公知の駆動方式を適宜採択することができる。
【００２２】
図１において、１は書類Ｐが載置セットされる受け台であり、受け台１の所定箇所には孔２が上下方向に形成されている。受け台１の下側には、左右一対の抜き刃３を有する打ち込み機４が孔２内を昇降できるように設けられ、打ち込み機４は昇降駆動機構により上下方向へ往復駆動される。
【００２３】
打ち込み機４は上昇することにより、受け台１上にセットされた書類Ｐに貫通孔を形成して、書類Ｐの上方に位置するコ字形の紙製ステープル５を挟み、その後、打ち込み機４が下方へリターン動作することにより、紙製ステープル５を書類Ｐに引き抜いて打ち込む。
【００２４】
打ち込み機４は、水平方向の取付部（水平部）６を有し、この取付部６の左右両側端部にはそれぞれ抜き刃３が相対峙して突設されている。一対の抜き刃３は取付部６に対して上方向に垂直に設けられ、該一対の抜き刃３と取付部６によって打ち込み機４は略逆門形に形成されている。抜き刃３は上端部に刃先部７を備え、刃先部７の形状は略Ｖ字型に形成されている。
【００２５】
図２に示すように、左右の抜き刃３の内側部にはそれぞれ挟みバネ板８が設けられ、左右の挟みバネ板８は互いに対峙して、抜き刃３の内側面に密着するように配置されている。挟みバネ板８の幅寸法は、抜き刃３１の幅寸法と同一もしくは僅かに狭幅に形成されている。又、挟みバネ板８の板厚は、書類貫通時に挟みバネ板８の上端部が書類に引っ掛からない程度の板厚に設定されている。
【００２６】
更に、挟みバネ板８は所要のバネ性を有し、挟みバネ板８の下部又は上部への押圧力の作用に応じて、上側略半部９が抜き刃３に対して離反又は接近状態（離開状態又は密閉状態）に変化できるように形成されている。ここで、挟みバネ板８の離開状態又は密閉状態とは、挟みバネ板８の上側略半部９が抜き刃３内側面に対し離反して開放された状態又は密着して閉鎖（紙製ステープル５を介する密着を含む）した状態をいう。
【００２７】
挟みバネ板８が図３に示す離開状態になると、上側略半部９と抜き刃３間に紙製ステープル５の脚部１５，１６が差し込まれ、その後、上側略半部９が抜き刃３側に接近移動した密閉状態になると、上側略半部９のバネ力で前記脚部１５，１６が押圧挟持される。
【００２８】
本実施例では、挟みバネ板８の表面には、フッ素樹脂等により非粘着化コーティング加工が施されている。このため、紙製ステープル５の脚部１６に塗布された粘着剤１７が挟みバネ板８に付着しても、挟みバネ板８に糊残りするおそれがないようにされている。又、挟みバネ板８の上側略半部９は矩形平坦状に形成されているが、挟みバネ板８の下側略半部には２本のスリットが縦方向に刻設されている。この２つのスリットの間及び両側にはそれぞれ、平坦状の固定部１０及び屈曲形状の作動部１１，１１が設けられ、固定部１０の下側部分は抜き刃３内側面に固着されている。
【００２９】
前記作動部１１，１１の縦断面形状は、打ち込み機４の内側方向にく字状に屈曲するように形成され、該作動部１１，１１の上面に押圧力が作用すると、作動部１１，１１は屈曲線Ｌを中心として下方回動して、抜き刃３内面側に接近移動する。この下方回動に伴い、挟みバネ板８の上側略半部９側は、図３に示すように、抜き刃３内側面に対して離反するように回動変位し、該抜き刃３内側面と上側略半部９の間にクサビ状の隙間が形成される。
【００３０】
取付部６の左右側面上部には凹所１２が設けられ、凹所１２は左右両側の各作動部１１，１１と対応する４箇所に形成されている。各凹所１２の上側内面形状は、作動部１１，１１の回動変位を許容すべく、縦断面略四半円状の湾曲面を有するように形成されている。
【００３１】
固定部１０と作動部１１の位置関係及び枚数は特に限定されず、図４に示すように、互いに逆の位置関係になるように形成してもよい。この場合は、固定部１０の下側部分を抜き刃３内側面に固着し、且つ、取付部６の作動部１１と対応する側面上部には、該作動部１１の回動変位を許容すべく、縦断面略四半円状の凹所１２を形成するものとする。
【００３２】
図２に示すように、コ字形紙製ステープル５の上方には、紙製ステープル５のクラウン部１４を下方に押し付けるための押し付け部材１３が配設され、押し付け部材１３は、昇降駆動機構により上下方向へ往復移動する。押し付け部材１３の下降により、書類Ｐに打ち込まれた紙製ステープル５のクラウン部１４を受け台１上面に押し付けて、紙製ステープル５の書類Ｐからの浮き上がりを防止する。
【００３３】
紙製ステープル５は、クラウン部１４の両端側にそれぞれ垂直に連設された脚部１５，１６を有し、コ字状に形成されている。又、紙製ステープル５の他側脚部１６の内側面には粘着剤１７が塗布され、一側脚部１５及び他側脚部１６を順次折り畳んで相互重合することにより、両者は粘着剤（粘着部）１７を介して貼着結合される。
【００３４】
コ字形紙製ステープル５は、図外のステープル収納部から所定位置に送られるが、本実施例では、打ち込み機４の貫通移動と関連して所定のタイミングで、挟みバネ板８と抜き刃３内側面の間の隙間に、該書類を介して該打ち込み機と対峙配設した紙製ステープル５の脚部１５，１６が差し込まれる。その後、打ち込み機４の下降により、挟みバネ板８が抜き刃３側に接近動作して、紙製ステープル５がバネ力で押圧挟持される。
【００３５】
紙製ステープル５のクラウン幅寸法Ｗ１は、打ち込み機４の抜き刃３の幅寸法Ｗ２と略同一に設定されている。従って、紙製ステープル５が打ち込み機４で書類Ｐに打ち込まれると、紙製ステープル５は、書類Ｐに形成された貫通孔２３と略同幅になるので、両者間に隙間を生じるおそれがない。
【００３６】
一方、受け台１の下方にはクリンチャ装置１８が設けられ、このクリンチャ装置１８により紙製ステープル５の脚部１５，１６がクリンチされる。クリンチャ装置１８は一対のローラ（クリンチャ部材）１９，２０を備え、各ローラ１９，２０は図外の移動駆動機構により、紙製ステープル５のクラウン部長手方向と同一方向に独立に移動駆動される。
【００３７】
ローラ１９，２０は、紙製ステープル５が書類Ｐに打ち込まれた時に、紙製ステープル５の一対の脚部１５、１６の外側近傍に配置されている。そして、ローラ１５，１６が紙製ステープル５の内側方向に移動することにより、垂下状態の脚部１５，１６がクラウン部１４と略平行になるように、内側方向に約９０°折り曲げられる。
【００３８】
又、受け台１の下方には圧着部材２１が配置され、圧着部材２１は、クラウン部１４の幅方向後方にて上下回動可能に取り付けられている。ここでは、圧着部材２１は回動駆動機構により、図５に示すように、水平方向の回動軸２２回りに回動駆動される。この圧着部材２１は、紙製ステープル５の脚部１５，１６が折り曲げられた後に上方回動して、双方の脚部１５，１６を圧着固定する。尚、圧着部材２１は回動方式に限らず昇降方式にすることも可能であり、この場合、打ち込み機４と干渉しないように圧着部材２１を移動させるものとする。
【００３９】
上記構成において、受け台１上に載置セットされた紙製ステープル５を書類Ｐに打ち込んで綴じる場合について、図６乃至図１３に従って説明する。先ず、ステープル打ち込み前の状態では、打ち込み機４は、図６に示すように、受け台１の孔２と対応する下方位置に待機している。今、打ち込み機４を受け台１側に相対的に上昇駆動させると、図７に示すように、打ち込み機４の一対の抜き刃３が書類Ｐを打ち抜いて貫通孔２３を開穿する。
【００４０】
そして、挟みバネ板８の作動部１１，１１が、書類Ｐの貫通孔２３を通過する際に、作動部１１，１１は貫通孔２３の縁部によって下方向のしごき力を受ける。そのため、作動部１１，１１が打ち込み機４の抜き刃３側へ接近すべく下方回動して、該抜き刃３内側面に作動部１１，１１が略当接する如き状態となる。
【００４１】
この時、図８に示すように、挟みバネ板８の上側略半部９は抜き刃３の内側面から離反すべく回動変位して、抜き刃３と上側略半部９との間にクサビ状の隙間が形成される。而して、抜き刃３と上側略半部９との間の隙間に該書類を介して該打ち込み機と対峙配設した紙製ステープル５の脚部１５，１６が差し込まれる。
【００４２】
このあと、打ち込み機４が元の位置に復帰すべく下降動作する。そして、挟みバネ板８の上側略半部９は、書類Ｐの貫通孔２３を通過する際に、作動部１１，１１に作用している押圧力が除かれて、上側略半部９は抜き刃３内側面側へ接近すべく上方回動して、紙製ステープル５の脚部１５，１６が、上側略半部９のバネ力で抜き刃３の内側面に押付け挟持される（図９参照）。
【００４３】
続いて、打ち込み機４が更に下降するに伴い、打ち込み機４は紙製ステープル５の脚部１５，１６を挟持したまま、図９に示すように、書類Ｐの貫通孔２３内を下方へ移動する。従って、紙製ステープル５は下方に引き込まれることにより、脚部１５，１６が貫通孔２３を下降変位して、書類Ｐ下面側に打ち込まれる。
【００４４】
ついで、クラウン部１４が書類Ｐと密着する位置まで引き込まれると、紙製ステープル５の書類貫通が完了し、打ち込み機４は元の下方位置まで下降する。続いて、図１０に示すように、押し付け部材１３が紙製ステープル５側に下降することにより、紙製ステープル５のクラウン部１４が書類Ｐ上面に押し付けられた状態で保持され、紙製ステープル５の浮き上がりが防止される。
【００４５】
次に、図１１に示すように、一側脚部１５の外側近傍の第１のローラ１９が一側脚部１５側に移動することにより、垂下状態の一側脚部１５が内側方向に約９０°折り曲げられて、クラウン部１４と略平行な状態になる。続いて、図１２に示すように、他側脚部１６の外側近傍の第２のローラ２０が他側脚部１６側に移動する。これにより、垂下状態の他側脚部１６が内側方向に約９０°折り曲げられて、クラウン部１４と略平行な状態になり、他側脚部１６の接着部１７が一側脚部１５下面に重合する。
【００４６】
この後、図５（ｃ），（ｄ）に示すように、圧着部材２１が水平軸２２の回りに上方回動することにより、他側脚部１６の粘着部１７を押し上げて、一側脚部１５下面に圧着する。斯くして、図１３に示すように、紙製ステープル５の一側脚部１５と他側脚部１６の重合部分が確実に接着固定される。このあと、ローラ１９，２０及び圧着部材２１が元の位置にリターンすることにより、紙製ステープル５の脚部１５，１６のクリンチが完了する。
【００４７】
尚、圧着部材２１が元の位置にリターンすると、圧着部材２１は、図５（ａ），（ｂ）に示すように、打ち込み機４の昇降経路の外側に戻るので、次工程で打ち込み機４が上昇する際、打ち込み機４は昇降経路を支障無く移動することができる。
【００４８】
上述の如く、書類Ｐに紙製ステープル５を打ち込む際は、打ち込み機４の上昇により、抜き刃３を書類Ｐに貫通させる。該貫通時に、挟みバネ板８は書類Ｐに形成された貫通孔２３の縁部でしごかれることにより、抜き刃３の内側面に対して離開状態になり、抜き刃３と挟みバネ板８の間に紙製ステープル５が差し込まれる。
【００４９】
この後、打ち込み機４は元の位置に下降復帰するが、この復帰時に、挟みバネ板８は貫通孔２３の縁部でしごかれる。このことにより、挟みバネ板８の上側略半部９が抜き刃３の内側面に向かって接近し、上側略半部９の弾性力で紙製ステープル５を挟持したままの状態で、紙製ステープル５が書類Ｐに引き抜き式に打ち込まれる。
【００５０】
本実施例によれば、一対の抜き刃３は角孔を有しないので、従来に比べ強度が増大し、強度アップのために抜き刃３の板厚を大きくする必要がなく、その分だけ貫通孔２３を小さく形成することができる。又、紙製ステープル５を打ち込む際、打ち込み機４は引き込み方向のみの１アクションで済み、手動式の機械に適したシンプルな構造が得られる。
【００５１】
さらに、挟みバネ板８は、抜き刃３の昇降時に、貫通孔２３の縁部によりしごき力を受けて離開するので、離開用の駆動機構を別途設ける必要がない。又、挟みバネ板８の表面は非粘着化コーティングが施されているため、ステープル引き抜き時に、挟みバネ板８の表面に接着剤１７が付着するおそれがない。よって、挟みバネ板８の表面が接着剤１７によって汚れることを防止する。
【００５２】
又、抜き刃３の幅寸法Ｗ２は、紙製ステープル５の幅寸法Ｗ１と略同一であるので、ステープル打ち込み後、書類Ｐに形成された貫通孔２３と、紙製ステープル５のクラウン部１４のサイズとがほぼ一致する。したがって、貫通孔２３とクラウン部１４の間に隙間が殆ど生じないので、書類Ｐにガタツキが生ぜず、綴じ箇所周辺が汚損しにくくなる。
【００５３】
更に又、紙製ステープル５の打ち込み後、打ち込み機４が元の位置に下降すると、挟みバネ板８はそれ自体の弾性復元力によって打ち込み前の状態、即ち、挟みバネ板８の上側略半部９は抜き刃３の内側面に密着し、且つ、挟みバネ板８の作動部１１，１１は斜め下方向に屈曲した状態に戻る。従って、挟みバネ板８を元の状態に復帰させるための駆動機構も不要になる。
【００５４】
上記実施例では、紙製ステープル５は粘着剤を塗布したものを使用したために、挟みバネ板８に表面に非粘着樹脂でコーティング加工を施したが、粘着剤１７が塗布されていない紙製ステープル５を使用する場合は、挟みバネ板８の表面に非粘着樹脂をコーティングする必要はない。また、クリンチャ装置１８はローラ方式に限らず、カム方式等の他の方式を採用しても良い。
【００５５】
本発明は、本発明の精神を逸脱しない限り種々の改変を為すことができ、そして、本発明が該改変されたものに及ぶことは当然である。
【図面の簡単な説明】
【００５６】
【図１】本発明の一実施例を示し、受け台の下方に昇降可能に設けられた打ち込み機を説明する斜視図。
【図２】実施例に係る打ち込み機の全体構成を説明する正面図。
【図３】図１の打ち込み機を示す斜視図。
【図４】実施例に係る打ち込み機の挟みバネ板の他の構成例を示す斜視図。
【図５】実施例に係る圧着部材の構成例を示し、（ａ）は圧着部材が回動する前の斜視図、（ｂ）は（ａ）の側面図、（ｃ）は圧着部材が回動した後の斜視図、（ｄ）は（ｃ）の側面図。
【図６】実施例に係る打ち込み機の書類貫通前の状態を示す正面図。
【図７】同上打ち込み機の書類貫通中の状態を示す正面図。
【図８】同上打ち込み機の書類貫通後の状態を示す正面図。
【図９】同上打ち込み機のステープル挟持状態を示す正面図。
【図１０】同上紙製ステープルが押し付け部材により押し付けられる時の状態を示す正面図。
【図１１】同上紙製ステープルの一側脚部が第１のローラで折り曲げられる時の状態を示す正面図。
【図１２】同上紙製ステープルの他側脚部が第２のローラで折り曲げられる時の状態を示す正面図。
【図１３】同上紙製ステープルの脚部の重合部が圧着部材で圧着される時の状態を示す正面図。
【符号の説明】
【００５７】
１    受け台
２    孔
３    抜き刃（刃付き側部）
４    打ち込み機
５    紙製ステープル
６    取付部（水平部）
７    刃先部
８    挟みバネ板
９    上側略半部（上部）
１０  固定部（下部）
１１  作動部（下部）
１２  凹所
１３  押し付け部材
１４  クラウン部
１５  一側脚部
１６  他側脚部
１７  粘着剤（粘着部）
１８  クリンチャ装置
１９  第１のローラ（第１のクリンチャ部材）
２０  第２のローラ（第２のクリンチャ部材）
２１  圧着部材
２２  回動軸
２３  貫通孔
Ｐ    書類
Ｌ    屈曲線
【図１】
2007185819.tif 000003
【図２】
2007185819.tif 000004
【図３】
2007185819.tif 000005
【図４】
2007185819.tif 000006
【図５】
2007185819.tif 000007
【図６】
2007185819.tif 000008
【図７】
2007185819.tif 000009
【図８】
2007185819.tif 000010
【図９】
2007185819.tif 000011
【図１０】
2007185819.tif 000012
【図１１】
2007185819.tif 000013
【図１２】
2007185819.tif 000014
【図１３】
2007185819.tif 000015